(57)【要約】【課題】例えば、局地的多量降雨時であっても、貯留部による貯留機能と、浸透部による治水機能とが同時に行われるようにして、溢れなどによる機能不全を起こし難くなるようにする。【解決手段】地中２に、間隔を隔てて一対の縦坑３，４を設ける。  この一対の縦坑３，４間に、雨水を貯留可能な貯留部６，７と、雨水を地中２に浸透可能な浸透部８と、を並列に接続する。  そして、一対の縦坑３，４間に、上記貯留部６，７に貯留された水を循環利用するための循環流路７１を接続する。  更に、上記循環流路７１の途中に、異物を除去するためのフイルター７４と、水を送給するためのポンプ７５とを設ける。【選択図】図１
2016166454.tif 000002
【特許請求の範囲】
【請求項１】
地中に、間隔を隔てて一対の縦坑を設けると共に、
該一対の縦坑間に、雨水を貯留可能な貯留部と、雨水を地中に浸透可能な浸透部と、を並列に接続し、
前記一対の縦坑間に、前記貯留部に貯留された水を循環利用するための循環流路を接続し、
前記循環流路の途中に、異物を除去するためのフイルターと、水を送給するためのポンプとを設けたことを特徴とする雨水施設。
【請求項２】
地中に、間隔を隔てて一対の縦坑を設けると共に、
該一対の縦坑間に、雨水を貯留可能な貯留部を複数本並列に接続し、
前記一対の縦坑間に、前記貯留部に貯留された水を循環利用するための循環流路を接続し、
前記循環流路の途中に、異物を除去するためのフイルターと、水を送給するためのポンプとを設けたことを特徴とする雨水施設。
【請求項３】
請求項１または請求項２に記載の雨水施設であって、
前記フイルターを、前記循環流路の入口部が接続される縦坑に対して着脱可能に取付けたことを特徴とする雨水施設。
【請求項４】
請求項１ないし請求項３のいずれか１項に記載の雨水施設であって、
前記循環流路の途中に、地中熱と熱交換可能な熱交換器を設けたことを特徴とする雨水施設。
【請求項５】
請求項１ないし請求項４のいずれか１項に記載の雨水施設であって、
前記貯留部に、上水供給管を接続したことを特徴とする雨水施設。
【請求項６】
請求項５に記載の雨水施設であって、
前記上水供給管が、フロート弁によって開閉可能とされると共に、
該フロート弁は、少なくとも、前記貯留部内の水位が設定した最低限水位よりも低くなった時に開くものとされたことを特徴とする雨水施設。
【請求項７】
請求項６に記載の雨水施設であって、
前記フロート弁が、一対の縦坑または貯留部のいずれかに設けられたことを特徴とする雨水施設。
【発明の詳細な説明】
【技術分野】
【０００１】
この発明は、雨水施設に関するものである。
【背景技術】
【０００２】
例えば、戸建住宅などに対して、屋根に降った雨水を敷地内の地中に埋設したタンクに溜めておき、必要に応じて散水などに使用できるようにした雨水利用施設が知られている（例えば、特許文献１参照）
【先行技術文献】
【特許文献】
【０００３】
【特許文献１】特開２０１０−１０６６０５号公報
【発明の概要】
【発明が解決しようとする課題】
【０００４】
しかしながら、上記特許文献１に記載された雨水利用施設は、単に雨水をタンクに溜める機能しか備えていなかったので、いわゆるゲリラ豪雨などの局地的多量降雨時に溢れてしまい、一時的に機能不全を起こすおそれがあった。
【０００５】
そこで、本発明は、上記した問題点を解決することを、主な目的としている。
【課題を解決するための手段】
【０００６】
上記課題を解決するために、本発明の雨水施設は、
地中に、間隔を隔てて一対の縦坑を設けると共に、
該一対の縦坑間に、雨水を貯留可能な貯留部と、雨水を地中に浸透可能な浸透部と、を並列に接続し、
前記一対の縦坑間に、前記貯留部に貯留された水を循環利用するための循環流路を接続し、
前記循環流路の途中に、異物を除去するためのフイルターと、水を送給するためのポンプとを設けたことを特徴としている。
【発明の効果】
【０００７】
本発明によれば、上記構成によって、例えば、いわゆるゲリラ豪雨などの局地的多量降雨時であっても、貯留部による貯留機能と、浸透部による治水機能とが同時に行われることで、溢れなどによる機能不全を起こし難くすることができる。
【図面の簡単な説明】
【０００８】
【図１】実施例１にかかる雨水施設の全体構成図である。
【図２】図１を具体化した例（具体例１）を示す全体構成図である。
【図３】流入側の縦坑を側方から見た縦断面図である。
【図４】流出側の縦坑を側方から見た縦断面図である。
【図５】ヤリトリ継手の側面図である。
【図６】偏芯拡管継手の側面図である。
【図７】偏芯拡管ヤリトリ継手の側面図である。
【図８】貯留部の本体（貯留管）の側面図である。
【図９】多層構造管の部分断面図である。
【図１０】スペーサ部材の斜視図である。
【図１１】図１０の正面図である。
【図１２】図１の別の具体例（具体例２）を示す全体構成図である。
【図１３】リブパイプの側面図である。
【図１４】図１３のリブ部分の拡大図である。
【図１５】浸透部を示すものであり、（ａ）は側面図、（ｂ）はＡ−Ａ線に沿った断面図、（ｃ）はＢ−Ｂ線に沿った断面図である。
【図１６】内部にフィルターを収納するようにした容器状フィルター収納部材を示すものであり、（ａ）は側面図、（ｂ）は正面図である。
【図１７】金網をフィルター取付部材に取付けたフィルターを示すものであり、（ａ）は正面図、（ｂ）は側面図である。
【発明を実施するための形態】
【０００９】
以下、本実施の形態を、図面を用いて詳細に説明する。
図１〜図１７は、この実施の形態を説明するためのものである。
【実施例１】
【００１０】
＜構成＞以下、構成について説明する。
【００１１】
（１−１）図１に示すように、この実施例の雨水施設１を、以下のようなものとする。
即ち、先ず、地中２に、間隔を隔てて一対の縦坑３，４を設ける。
そして、この一対の縦坑３，４間に、雨水を貯留可能な貯留部６，７と、雨水を地中２に浸透可能な浸透部８と、を並列に接続する。
【００１２】
ここで、この雨水施設１は、貯水機能および利水機能を有し、また治水機能なども有して、雨水を有効活用すると共に、いわゆるゲリラ豪雨などの局地的多量降雨のような近年の異常気象にも対応できるようにした施設などとされる。地中２は、道路の下でも、公園や施設や住宅などの敷地の下でも、どこでも良い。縦坑３，４は、上下方向に延びるものであれば何でも良い。貯留部６，７は、雨水を貯留できるものであれば何でも良い。浸透部８は、雨水を地中２に浸透させることができるものであれば何でも良い。
【００１３】
例えば、図の場合、雨水施設１は、公園や運動場などの施設の敷地内に設けられたクールスポット１０の地中２に埋設されている。このクールスポット１０は、東屋やパーゴラなどによる簡単な休憩所１１または待合所を備えている。この休憩所１１の屋根１１ａには、太陽光パネル１２が設置されている。また、休憩所１１の屋根１１ａや壁面１１ｂには、太陽光パネル１２の廻りや太陽光パネル１２がない部分などに、屋根緑化や壁面緑化のための植物が植え付けられてグリーンゾーン１３を形成している。或いは、休憩所１１の屋根１１ａなどに、マイクロミストなどを噴霧するようにしたミスト噴霧装置１４を取付けるようにしても良い。
【００１４】
そして、雨水施設１は、地中２にて貯留部６，７が上下に二段に設置され、その上に浸透部８が一段設置されている。但し、貯留部６，７や浸透部８の設置段数は、上記に限るものではない。なお、貯留部６，７と浸透部８との上下方向の位置関係は任意であるが、貯留部６，７が下側となり浸透部８が上側となるように配置するのが、貯留部６，７および浸透部８を運用する上では好ましい。
【００１５】
より具体的には、図２の例（具体例１）に示すように、縦坑３，４を、主に樹脂製の管（縦管１５）で構成し、貯留部６，７を、主に横方向へ延びる樹脂製の管（横管状貯留部１６）で構成し、浸透部８を、主に横方向へ延びる樹脂製の管（横管状浸透部１７）で構成するようにしている。この場合、上下の横管状貯留部１６は、同じ口径のものを使用すると共に、横管状浸透部１７は横管状貯留部１６よりも口径が小さいものを使用するようにしている。但し、横管状貯留部１６および横管状浸透部１７の口径は、設置箇所の状況などに応じて適宜変更することができる。この場合、縦管１５や横管状貯留部１６や横管状浸透部１７は、円形断面のものとされている。
【００１６】
そして、縦坑３，４を、縦管１５の上端部に開閉蓋部１８が取付けられた点検桝１９などとしている。この場合、左側に位置する縦坑３が流入側桝とされ、右側に位置する縦坑４が流出側桝とされる。縦坑４（流出側桝）は、縦坑３（流入側桝）よりも下に長い（深い）ものとされている。
【００１７】
図３に示すように、縦坑３（流入側桝）を構成する縦管１５の下端部には、屈曲部２１が設けられると共に、屈曲部２１よりも上側の外周面にはサドル型継手２２を適宜取付けることができるようになっている。サドル型継手２２は、縦管１５の側面に当接固定可能な部分円筒状のサドル部に対して筒状の継手部を一体に設けたものである。この場合、サドル型継手２２には、横管状貯留部１６の口径よりも小さいものが使用されている。
【００１８】
また、図４に示すように、縦坑４（流出側桝）を構成する縦管１５の外周面には、上記と同様のサドル型継手２３や、サドル型継手２４などを適宜取付けることができるようになっている。この縦坑４のサドル型継手２３およびサドル型継手２４は、上記した縦坑３の屈曲部２１およびサドル型継手２２と、それぞれ同じ高さで対向するように設置される。この場合、サドル型継手２３は、横管状貯留部１６の口径と同じものが使用され、サドル型継手２４は、横管状貯留部１６の口径よりも小さいものが使用されている。また、縦坑４の下端側の外周面には、取水部２５が設けられている。この取水部２５は、下側のサドル型継手２３とは反対側の位置に、サドル型継手２３とほぼ同じかそれよりも低い高さに設けられている。更に、縦坑４の底部には、泥溜め部２６が形成されている。
【００１９】
図２に戻って、上記した流入側の縦坑３の上部には、道路の側溝や敷地内に設けられた雨水排水管２９などからの雨水を集めるようにした雨水桝２７が接続されている。また、上記した流出側の縦坑４の上部に対し、オーバーフロー管２８を接続してオーバーフローした雨水を雨水施設１から排出できるようにしている。この場合、このオーバーフロー管２８は、例えば、下水道本管などに接続させるようにする。
【００２０】
そして、下側の貯留部６は、上記した縦坑３の屈曲部２１と上記した縦坑４の下側のサドル型継手２３との間に接続されている。また、上側の貯留部７は、上記した縦坑３のサドル型継手２２と上記した縦坑４のサドル型継手２４との間に接続されている。更に、上側の貯留部７の一端部には、サドル型継手２２と上側の貯留部７とを接続するためのヤリトリ継手３１（図５参照）と、頂部が面一となるように管頂接続するための偏芯拡管継手３２（図６参照）と、が取付けられている。
【００２１】
このヤリトリ継手３１は、例えば、配管の切断箇所などに主に用いられている継手であり、切断箇所の片側に深く嵌め込んでおき、切断箇所の状態を整えてから片側の切断箇所に対する嵌め込み量を浅くすることで、切断箇所の両側を連結して切断箇所を補修できるようにした継手のことである。この場合には、サドル型継手２２と上側の貯留部７との少なくとも一方に対する嵌合量を大きく変化させられるようにした継手とされる。なお、これらに替えてヤリトリ継手３１と偏芯拡管継手３２とを組み合わせて一体化した構造の偏芯拡管ヤリトリ継手３３（図７参照）を用いるようにしても良い。
【００２２】
また、上側の貯留部７の他端部には、底部が面一となるように管底接続するための偏芯縮管継手３４が取付けられている。この偏芯縮管継手３４は、上記した偏芯拡管継手３２を上下左右反転したものである。なお、ヤリトリ継手３１や偏芯拡管ヤリトリ継手３３などには、必要に応じて、一端側の受口部の内部に、嵌合量の変化に拘わらずシール性を確保するためのゴム輪３５が設けられ、他端側の差口部の外周面に、嵌合深さの基準を表わすための標線３６などが設けられる。
【００２３】
このように、偏芯拡管継手３２および偏芯縮管継手３４、小型のサドル型継手２２、サドル型継手２４などを用いることにより、横管状貯留部１６を上下の間隔を詰めた状態にしてより多く設置することが可能となる。
【００２４】
更に、図８に示すような貯留部６，７の本体を構成する管部材（貯留管）には、水理性や耐久性や耐酸性に優れた多層構造管４１を用いることができる。この多層構造管４１は、図９に示すように、内面保護層４２と、内面ＦＲＰ層４３と、レジンモルタル層４４と、外面ＦＲＰ層４５と、外面保護層４６とを有する多層構造の管部材である。内面ＦＲＰ層４３および外面ＦＲＰ層４５には、それぞれ、周方向に延びるガラス繊維層４７と軸方向に延びるガラス繊維層４８とを有している。レジンモルタル層４４は、不飽和ポリエステル樹脂と珪砂とからなるものとされる。
【００２５】
そして、最も下側に位置する貯留部６と上側の貯留部７との間には、管台と呼ばれるスペーサ部材５１（図１０、図１１参照）が設置されている。このスペーサ部材５１は、貯留部６，７を保持する機能を有するものとされ、少なくとも、下側の貯留部６の上半部に合致する円弧状凹部５２を有する下部部材５３と、上側の貯留部７の下半部に合致する円弧状凹部５４を有する上部部材５５と、を上下に重ねて連結したものとされる。
【００２６】
このように、スペーサ部材５１を用いて貯留部６，７を互いに支持させるようにすることにより、縦坑３，４の間に、貯留部６，７を１本ずつ地中２に埋め戻しながら順番に取付けて行くような手間をかけずに、貯留部６，７を所要の隙間を有して多段に構築してから一気に地中２に埋め戻すような施工が可能となるので、工期の短縮を図ることができる。
【００２７】
また、図１２の例（具体例２）のように、貯留部６，７にリブパイプ５６（図１３参照）を用いるようにしても良い。このリブパイプ５６は、図１４に示すように、外周面に、大小のリブ５７，５８を軸方向に沿って多数有するパイプのことである。このように、貯留部６，７にリブパイプ５６を用いることにより、貯留部６，７を砕石で地中２に埋め戻すことで、リブ５７，５８によって貯留部６，７を砕石に確実に固定することができるので、周辺の地下水位が高い場合や、周辺に液状化現象などが生じた場合などでも、貯留部６，７を浮き上がらないようにすることができる。
【００２８】
更に、上記横管状をした浸透部８（横管状浸透部１７）は、図１５（ａ）に示すように、周面に、地中浸透用の孔部６１（浸透孔）を多数形成した多孔管とされる。この場合、浸透部８は、図１５（ｂ）のように孔部６１を周方向に３箇所（頂部と下部両側面）設けた部分と、図１５（ｃ）のように孔部６１を周方向に２箇所（上部両側面）設けた部分とが、軸方向に交互に存在するようなものとされている。浸透部８は、貯留部６，７（横管状貯留部１６）よりも小径のものとされている。また、浸透部８は、上記した縦坑３の上端側の外周面に取付けたサドル型継手６２と上記した縦坑４の上端側外周面に取付けたサドル型継手６３との間に、ヤリトリ継手６４を用いて接続される。
【００２９】
並列は、貯留部６，７や浸透部８をどのように並べても良いが、この場合には、横向きにして互いにほぼ平行に配置した貯留部６，７や浸透部８を縦坑３，４の管軸方向（上下方向または地面のほぼ面直方向）に対して並べるようにするのが好ましい。即ち、縦坑３，４を真上から見た時に、貯留部６，７や浸透部８が重なるように配置するのが好ましい。
【００３０】
（１−２）そして、一対の縦坑３，４間に、上記貯留部６，７に貯留された水を循環利用するための循環流路７１を接続する。
【００３１】
ここで、循環流路７１は、一方の縦坑４の下端側と、他方の縦坑３の上端側との間に接続されている。例えば、図２では、循環流路７１は、流出側（図中右側）の縦坑４の取水部２５と流入側（図中左側）の縦坑３に接続された雨水桝２７との間に接続されている。
【００３２】
そして、循環流路７１は、途中、休憩所１１の屋根１１ａと壁面１１ｂとを通るように設置されている。この場合、特に図示しないが、循環流路７１は、休憩所１１の屋根１１ａで、太陽光パネル１２の冷却用の系統と、グリーンゾーン１３の植物などへの散水用の系統と、ミスト噴霧装置１４への系統とに分岐されると共に、これらは、休憩所１１の屋根１１ａに取付けられた雨樋による集水用の系統へ合流されて循環されるようになっている。
【００３３】
（１−３）上記循環流路７１の途中に、異物を除去するためのフイルター７４と、水を送給するためのポンプ７５とを設ける。
【００３４】
ここで、フイルター７４は、主に微細な土や藻などの植物を除去するためのものとして設けられるものであり、例えば、図１６に示すような、側面に通水穴７６ａを有する容器状フイルター収納部材７６の内部に収納される。このように、容器状フイルター収納部材７６の内部にフイルター７４を収納する構造とすることで、フイルター７４の着脱を容易に行うことができる。また、図１７に示すように、フイルター７４は、フイルター取付部材７７の通水穴７６ａを覆うように目の粗い金網７８を取付けたものとしても良い。なお、上記の各場合において、通水穴７６ａの大きさや形状などは目的に応じて任意に変更することができる。例えば、通水穴７６ａは、多数の小孔などで構成することもできる。
【００３５】
この場合、流入量規制は、ポンプ７５によって行うので、フイルター７４には特にオリフィス機能は必要ない。即ち、オリフィス機能を有さないフイルター７４を用いている。但し、フイルター７４はポンプ７５の前に配置する必要がある。
【００３６】
更に、図２に示すように、フイルター７４とポンプ７５との間には、水を浄化するための水浄化装置７９を設置することができる。この水浄化装置７９には、多数の微細孔を有する中空糸膜を束ねたものなどを使用したものとすることができる。この水浄化装置７９は、カートリッジ式にして交換可能としたり、逆洗して再利用できるものなどとしたりする。
【００３７】
（２）図４に示すように、上記フイルター７４を、上記循環流路７１の入口部が接続される縦坑４に対して着脱可能に取付ける。
【００３８】
ここで、フイルター７４は、縦坑４の内側から、縦坑４の下端側に取付けられた取水部２５を覆うように取付けられる。縦坑４の内側には、フイルター７４を上下方向に装着可能なホルダー８１が設けられる。また、フイルター７４の上部には、着脱の際に把持したり係止したりするなどための把持部８２などが必要に応じて設けられる。
【００３９】
（３）図２に示すように、上記循環流路７１の途中に、地中熱と熱交換可能な熱交換器８５を設ける。
【００４０】
ここで、熱交換器８５は、ループ状に配設した集熱管などとすることができる。熱交換器８５は、年中温度が安定している地下５メートル程度の深さの位置などに設置するのが好ましい。
【００４１】
（４）上記貯留部６，７に、上水供給管９１を接続する。
【００４２】
ここで、上水供給管９１は、補助的なものとされる。
【００４３】
（５）上記上水供給管９１が、フロート弁９５によって開閉可能とされる。
このフロート弁９５は、少なくとも、上記貯留部６，７内の水位が、予め設定した最低限水位よりも低くなった時に開くものとされる。
【００４４】
ここで、フロート弁９５は、開閉弁をフロートによって開閉操作するようにした自動弁である。フロートは、最低限水位の高さ周辺で浮き沈みするように設置される。フロート弁９５は、上記貯留部６，７内の水位が、予め設定した最低限水位となった時に閉じることになる。なお、上水供給管９１とフロート弁９５とは、分離して設置するようにしても、一体に設置するようにしても良い。設定した最低限水位は、雨水施設１の構成に応じて適宜定められる。具体的には、最低限水位は、最も下側に位置する貯留部６の水位を基準として定められる。
【００４５】
（６）上記フロート弁９５が、一対の縦坑３，４または貯留部６，７のいずれかに設けられる。
【００４６】
この場合、フロート弁９５は、循環流路７１の出口部が直接または間接的に接続される流入側の縦坑３に対して設置されている。或いは、フロート弁９５は、縦坑３，４と最も下側に位置する貯留部６との接続部分や、最も下側に位置する貯留部６の内部に設けることができる。
【００４７】
＜作用効果＞この実施例によれば、以下のような作用効果を得ることができる。
【００４８】
降雨時に、雨水は、道路の側溝や敷地内に設けられた雨水排水管２９などからの雨水を集めるようにした雨水桝２７を経て雨水施設１の縦坑３へ入り、また、循環流路７１（の途中に設けられた雨樋）などから雨水桝２７を経て雨水施設１の縦坑３へ入り、縦坑３から貯留部６，７と浸透部８とに分配される。そして、貯留部６，７へ送られた雨水は、貯留部６，７と縦坑３，４の下部に貯留され、浸透部８へ送られた雨水は浸透部８から地中２に浸透される。
【００４９】
この際、貯留部６，７を下側に設置し、浸透部８を上側に設置することにより、貯留部６，７に優先的に雨水を貯留させることができる。そして、例えば、いわゆるゲリラ豪雨などの局地的多量降雨時に、貯留部６，７が満水になると、雨水が浸透部８に入り込んで地中２へ浸透されることになる。
【００５０】
（作用効果１−１）一対の縦坑３，４間に、貯留部６，７と浸透部８とを並列に設けた。これにより、貯留部６，７による利水機能と、浸透部８による治水機能とを、１つの雨水施設１内に同時に持たせることができる。しかも、貯留部６，７と浸透部８とを一対の縦坑３，４間にコンパクトにまとめて設けることができる。よって、いわゆる狭小地などの狭い設置スペースであっても容易に設置して使用することが可能となる。
【００５１】
即ち、設置スペースに応じた間隔で一対の縦坑３，４を埋設し、縦坑３，４間に、所要の口径を有する貯留部６，７と浸透部８とを、それぞれ必要な本数だけ並列に設置することで、設置スペースや使用目的に応じた最適な能力を有する雨水施設１を個別に作ることができる。
【００５２】
貯留部６，７に貯留された水は、例えば、防災拠点や、クールスポット１０（例えば、暑さ対策や熱射病対策などのために施設などの屋外部分に設けられてマイクロミストなどを噴霧するようにしたミスト噴霧装置１４を備えた場所）などで利用することができる。
【００５３】
そして、例えば、いわゆるゲリラ豪雨などの局地的多量降雨時には、貯留部６，７による貯留機能と、浸透部８による治水機能とが同時に行われることで、溢れなどによる機能不全を起こし難くすることができる。また、オーバーフロー管２８を設けて下水道本管へオーバーフローできるようにすることによって、下水道本管への負担を抑えつつも必要な時には下水道本管を利用して溢れを防止することができる。
【００５４】
（作用効果１−２）一対の縦坑３，４間に循環流路７１を接続した。これにより、降雨時に、循環流路７１を利用して雨水を取り込むことができる。また、必要な時に、貯留部６，７に貯留されている水を循環流路７１から取り出して中水として利用することが可能になる。この際、貯留部６，７に貯留されている水を循環させることにより、少ない水量であっても貯留部６，７に貯留された水を有効活用することができる。
【００５５】
具体的には、貯留部６，７に貯留されている水を循環流路７１に循環させることで、例えば、太陽光パネル１２の冷却水として繰り返し利用することができる。また、貯留部６，７に貯留されている水を循環流路７１から取り出すことで、屋根緑化や壁面緑化やマイクロミストなどのための給水源や散水源として利用することができる。
【００５６】
（作用効果１−３）循環流路７１の途中に、異物を除去するためのフイルター７４と、ポンプ７５とを設けた。これにより、循環流路７１にポンプ７５による送水機能を持たせることができると共に、フイルター７４で浄化された水をポンプ７５で送給することができ、ポンプ７５や循環流路７１の詰まりを防止することができる。
【００５７】
（作用効果２）フイルター７４を、循環流路７１の入側の縦坑４に対して着脱可能に取付けた。これにより、循環流路７１へ入る前にフイルター７４で水を浄化することができる。また、縦坑４を介してフイルター７４の交換や清掃を行うことが可能となるので、フイルター７４に対するメンテナンス性を向上することができる。
【００５８】
（作用効果３）循環流路７１の途中に熱交換器８５を設けた。これにより、循環流路７１を流れる水を熱交換器８５で地中熱と等しい温度に（熱交換）することができる。よって、夏は冷たく、冬は温かい水を使用することができる。
【００５９】
（作用効果４）貯留部６，７に上水供給管９１を接続した。これにより、貯留部６，７内の水位が低くなった時などに、上水供給管９１を介して貯留部６，７へ上水を補給することができる。よって、貯留部６，７が空にならないようにして、循環流路７１で利用する水を常時確保することができる。
【００６０】
（作用効果５）上水供給管９１が、フロート弁９５によって開閉可能とされた。これにより、貯留部６，７内の水位が設定した最低限水位よりも低くなった時にフロート弁９５が自動的に開いて、貯留部６，７内に上水供給管９１からの上水を補給することで、貯留部６，７内の水位を設定した最低限水位よりも低くならないように保つことができる。そして、貯留部６，７内の水位が設定した最低限水位よりも高くなると、フロート弁９５が自動的に閉じて、上水供給管９１からの上水の補給が停止される。これにより、貯留部６，７内の水位を管理する手間を省くことができる。なお、フロート弁９５を設けない場合に、水位センサーと制御弁とを設けて、水位を調整させることも可能である。
【００６１】
（作用効果６）フロート弁９５を一対の縦坑３，４または貯留部６，７のいずれかに設けた。これにより、構造に無理なくフロート弁９５を設置して、貯留部６，７の水位を管理させることができる。なお、フロート弁９５は、一方の縦坑３，４に設けるようにするのが、メンテナンス性を確保する上では好ましい。
【実施例２】
【００６２】
実施例２として、浸透部８を設ける代わりに貯留部６，７のみを複数本設けるようにしても良い。
即ち、先ず、地中２に、間隔を隔てて一対の縦坑３，４を設ける。
この一対の縦坑３，４間に、雨水を貯留可能な貯留部６，７を複数本並列に接続する。
そして、一対の縦坑３，４間に、上記貯留部６，７に貯留された水を循環利用するための循環流路７１を接続する。
更に、上記循環流路７１の途中に、異物を除去するためのフイルター７４と、水を送給するためのポンプ７５とを設ける。
【００６３】
なお、上記以外の構成については、上記した実施例と同様である。よって、必要な場合には、上記実施例の記載を以ってこの実施例の記載とすることができる。
【００６４】
この実施例によれば、上記した浸透部８の機能以外の作用効果を得ることができる。
【００６５】
以上、この発明の実施の形態を図面により詳述してきたが、実施の形態はこの発明の例示にしか過ぎないものである。よって、この発明は実施の形態の構成にのみ限定されるものではなく、この発明の要旨を逸脱しない範囲の設計の変更等があってもこの発明に含まれることは勿論である。また、例えば、各実施の形態に複数の構成が含まれている場合には、特に記載がなくとも、これらの構成の可能な組合せが含まれることは勿論である。また、実施の形態に複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００６６】
１    雨水施設
２    地中
３    縦坑
４    縦坑
６    貯留部
７    貯留部
８    浸透部
７１  循環流路
７４  フイルター
７５  ポンプ
８５  熱交換器
９１  上水供給管
９５  フロート弁
【図１】
2016166454.tif 000003
【図２】
2016166454.tif 000004
【図３】
2016166454.tif 000005
【図４】
2016166454.tif 000006
【図５】
2016166454.tif 000007
【図６】
2016166454.tif 000008
【図７】
2016166454.tif 000009
【図８】
2016166454.tif 000010
【図９】
2016166454.tif 000011
【図１１】
2016166454.tif 000012
【図１０】
2016166454.tif 000013
【図１２】
2016166454.tif 000014
【図１３】
2016166454.tif 000015
【図１４】
2016166454.tif 000016
【図１５】
2016166454.tif 000017
【図１６】
2016166454.tif 000018
【図１７】
2016166454.tif 000019